(57)【要約】【課題】車椅子を使用するユーザが、原稿カバーに設けられた原稿トレイに容易に原稿を載置できるようにする。【解決手段】装置本体１の上面に開閉自在に設けられた原稿カバー１０に、原稿トレイ１１が開閉自在に設けられる。原稿トレイ１１は、原稿カバー１０の前側に回動自在に支持される。原稿トレイ１１は、原稿カバー１０の開く方向とは反対の前側に向かって開く。装置本体１の前側にいるユーザが原稿トレイ１１の取っ手３１を持って開くと、原稿トレイ１１はユーザに近づくように開き、原稿トレイ１１に原稿をセットしやすくなる。【選択図】図４
2010028336.tif 000002
【特許請求の範囲】
【請求項１】
画像処理装置の装置本体上面の開閉自在な原稿カバーに設けられ、原稿を載置する原稿トレイを有する自動原稿送り装置であって、原稿トレイが原稿カバーに対して移動可能に設けられ、原稿トレイは、ユーザに対して近づくように移動することを特徴とする自動原稿送り装置。
【請求項２】
原稿トレイは、原稿カバーに開閉自在に設けられ、原稿カバーが後側に向かって開くとき、原稿トレイは、前側に向かって開くことを特徴とする請求項１記載の自動原稿送り装置。
【請求項３】
原稿トレイは、原稿カバーの前側に位置する支軸周りに回動自在に支持され、原稿トレイの前側に、原稿を支える原稿ガイドが設けられ、原稿トレイが開いたとき、原稿トレイは、前側に向かって起き上がった姿勢となることを特徴とする請求項２記載の自動原稿送り装置。
【請求項４】
原稿トレイは、原稿カバーにスライド自在に設けられ、原稿カバーが後側に向かって開くとき、原稿トレイは、前側に向かってスライドすることを特徴とする請求項１記載の自動原稿送り装置。
【請求項５】
原稿カバーに、前側に向かって伸びるスライドレールが設けられ、スライドレールに原稿トレイが取り付けられ、原稿トレイは、前後方向にスライドすることを特徴とする請求項４記載の自動原稿送り装置。
【請求項６】
原稿トレイの前側に、取っ手が設けられたことを特徴とする請求項２〜５のいずれかに記載の自動原稿送り装置。
【請求項７】
装置本体上面に、原稿カバーが開閉自在に設けられ、原稿カバーに、原稿を載置する原稿トレイを有する自動原稿送り装置が設けられ、原稿トレイが原稿カバーに対して移動可能に設けられ、原稿トレイは、原稿カバーの開く方向とは異なる方向に移動することを特徴とする画像処理装置。
【請求項８】
原稿トレイは、原稿カバーに開閉自在に設けられ、原稿カバーが後側に向かって開くとき、原稿トレイは、前側に向かって開くことを特徴とする請求項７記載の画像処理装置。
【請求項９】
原稿トレイは、原稿カバーにスライド自在に設けられ、原稿カバーが後側に向かって開くとき、原稿トレイは、前側に向かってスライドすることを特徴とする請求項７記載の画像処理装置。
【発明の詳細な説明】
【技術分野】
【０００１】
本発明は、画像処理装置の装置本体の上部に設けられた、原稿トレイを有する自動原稿送り装置に関する。
【背景技術】
【０００２】
画像処理装置の上面には、原稿を載置するプラテンガラスからなる原稿台が配され、原稿台を覆う原稿カバーが開閉自在に設けられる。原稿カバーは後側に向かって開けられるため、原稿カバーの前側に取っ手が設けられる。ユーザは、取っ手を持って、原稿カバーを開閉する。
【０００３】
車椅子を使用するユーザの場合、ユーザは、正面から画像処理装置に接近して、取っ手を握って、原稿カバーを開ける。しかし、原稿カバーが開くにつれて、取っ手は後側かつ上側に移動していく。すなわち、取っ手は、ユーザから遠ざかる方向に移動する。そのため、車椅子に座るユーザが原稿を原稿台に載せるときに、原稿カバーが邪魔にならない位置まで原稿カバーを開くことが困難となる。
【０００４】
特許文献１，２には、車椅子を使用したユーザ用の把手を設け、ユーザが画像処理装置の側方へ接近して、この把手を押し上げることにより、原稿カバーを開けることができる画像処理装置が提案されている。
【特許文献１】特開２００６−５０４７３号公報
【特許文献２】特開２００８−１１８５２８号公報
【発明の開示】
【発明が解決しようとする課題】
【０００５】
画像処理装置では、原稿カバーに自動原稿送り装置が装着される。自動原稿送り装置は、その上面に原稿トレイを備えている。原稿トレイに複数枚の原稿が載置されると、原稿が１枚ずつ自動的に搬送され、原稿が読み取られる。ところが、車椅子を使用するユーザが原稿トレイに原稿を載置する場合、原稿トレイが高い位置にあるので、原稿トレイに手が届かないおそれがある。また、原稿トレイに手が届いたとしても、複数枚の原稿を揃えて載置することは困難である。
【０００６】
したがって、車椅子を使用するユーザにとって、従来の自動原稿送り装置は非常に使い勝手が悪い。そこで、本発明は、上記に鑑み、車椅子を使用したユーザが容易に原稿を載置することができる自動原稿送り装置の提供を目的とする。
【課題を解決するための手段】
【０００７】
本発明は、画像処理装置の装置本体上面の開閉自在な原稿カバーに設けられ、原稿を載置する原稿トレイを有する自動原稿送り装置であって、原稿トレイが原稿カバーに対して移動可能に設けられたものである。原稿トレイは、ユーザに対して近づくように移動する。すなわち、原稿トレイは、原稿カバーの開く方向とは異なる方向に移動する。
【０００８】
原稿トレイは装置本体の上方に位置しており、車椅子を使用するユーザにとって、手が届きにくい。しかし、原稿トレイが原稿カバーに対して移動するので、原稿トレイをユーザに近づけることができる。ユーザは、原稿トレイに手が届き、原稿を載置しやすくなる。
【０００９】
原稿トレイは、原稿カバーに開閉自在に設けられ、原稿カバーが後側に向かって開くとき、原稿トレイは、前側に向かって開く。すなわち、原稿トレイは、原稿カバーの前側に位置する支軸周りに回動自在に支持され、原稿トレイの前側に、原稿を支える原稿ガイドが設けられ、原稿トレイが開いたとき、原稿トレイは、前側に向かって起き上がった姿勢となる。原稿トレイがこの姿勢になったとき、載置された原稿の下側が原稿ガイドによって保持される。
【００１０】
あるいは、原稿トレイは、原稿カバーにスライド自在に設けられ、原稿カバーが後側に向かって開くとき、原稿トレイは、前側に向かってスライドする。すなわち、原稿カバーに、前側に向かって伸びるスライドレールが設けられ、スライドレールに原稿トレイが取り付けられ、原稿トレイは、前後方向にスライドする。
【００１１】
一般的に、操作パネルは装置本体の前側に配置される。そのため、ユーザは、操作するために装置本体の前側にいる。原稿トレイが前側に向かって開いたり、あるいは前側に向かってスライドすることにより、原稿トレイはユーザに近づくように移動する。
【００１２】
原稿トレイの前側に、取っ手が設けられる。ユーザは取っ手を持って、原稿トレイを容易に開閉あるいはスライドさせることができる。
【００１３】
画像処理装置として、装置本体上面に、原稿カバーが開閉自在に設けられ、原稿カバーに、原稿を載置する原稿トレイを有する自動原稿送り装置が設けられ、原稿トレイが原稿カバーに対して移動可能に設けられ、原稿トレイは、原稿カバーの開く方向とは異なる方向に移動する。
【００１４】
原稿トレイは、原稿カバーに開閉自在に設けられ、原稿カバーが後側に向かって開くとき、原稿トレイは、前側に向かって開く。あるいは、原稿トレイは、原稿カバーにスライド自在に設けられ、原稿カバーが後側に向かって開くとき、原稿トレイは、前側に向かってスライドする。このように、装置本体の前側にユーザがいるとき、原稿トレイは、ユーザに近づくように移動する。
【発明の効果】
【００１５】
本発明によると、原稿カバーの上にある原稿トレイが移動可能とされ、原稿トレイをユーザに近づけることができる。そのため、車椅子を使用するユーザにとって、原稿トレイが近づくので、容易に原稿を原稿トレイに載置することができ、ユーザの使い勝手がよくなる。
【発明を実施するための最良の形態】
【００１６】
本実施形態の画像処理装置を図１に示す。画像処理装置は、原稿から画像を読取って画像データを生成する画像読取ユニット１００、画像データに基づいて用紙上に画像形成を行う画像形成ユニット２００、画像形成ユニット２００に供給する用紙を収容する給紙ユニット３００、および画像形成ユニット２００により画像形成された用紙を排出する排紙ユニット４００を備えている。
【００１７】
画像処理装置は、ＬＡＮ等のネットワークに接続され、パソコン等の情報処理装置と通信可能とされる。また、画像処理装置は、電話回線に接続され、ファクシミリ装置や他の画像処理装置とファクシミリ通信を行う。そして、画像処理装置の制御装置は、各ユニットを制御して、コピー、プリント、スキャン、ファクシミリ通信、ドキュメントファイリングといった処理を実行する。
【００１８】
画像読取ユニット１００は、光源ユニット１１０、ミラーユニット１２０、ＣＣＤ読取ユニット１３０からなる画像読取部１５を有する。装置本体１の上面に、プラテンガラス製の原稿台１０１が設置され、画像読取ユニット１００は、原稿台１０１に載置された原稿の画像を光学的に読み取る。
【００１９】
そして、原稿台１０１の上方に、原稿を１枚ずつ分離給送する自動原稿送り装置１０２が設けられる。自動原稿送り装置１０２は、原稿台１０１上に形成された読取窓に原稿を１枚ずつ搬送する。画像読取ユニット１００は、読取窓を通じて搬送されてきた原稿の画像を光学的に読み取る。
【００２０】
光源ユニット１１０は、読取用の照射光を原稿に照射する光源１１１と、原稿からの反射光の光路を９０°変更するために水平な原稿台１０１に対して反射面を４５°に傾けて設置されたミラー１１２とを備えている。また、この光源ユニット１１０は、ステッピングモータにより原稿台１０１に対して平行に移動するように構成され、原稿台１０１に載置された原稿の読取面を走査する。ミラーユニット１２０は、反射面が相互に直交するように配置された一対のミラー１２１，１２２を備えている。各ミラー１２１，１２２により、光源ユニット１１０のミラー１１２によって９０°変更された反射光の光路が更に１８０°変更される。ＣＣＤ読取ユニット１３０は、結像レンズ１３１及びＣＣＤセンサ１３２を備えている。原稿からの反射光が、光源ユニット１１０及びミラーユニット１２０を経由して、結像レンズ１３１を介してＣＣＤセンサ１３２に結像される。
【００２１】
ＣＣＤセンサ１３２に結像された画像は、アナログ電気信号として取り出され、ＡＤ変換器によりデジタル信号に変換される。変換されたデジタル信号は、原稿読取時の光源の配光特性、ＣＣＤセンサ１３２の感度ムラ等の補正がされた後、デジタル形式の画像データとして画像メモリ（不図示）に一旦記憶され、画像形成ユニット２００に送られる。
【００２２】
画像形成ユニット２００は、レーザ書込ユニット２０１、感光体ドラム２０２、帯電器２０３、現像器２０４、転写器２０５、除電器２０７等からなる画像形成部２００ａを有する。給紙ユニット３００は、種々のサイズの用紙を大量に収容する用紙カセット３０１，３０２を備えている。
【００２３】
画像形成ユニット２００は、画像読取ユニット１００により生成された画像データ、情報処理装置からのプリントジョブを展開して得られた画像データ、又はファクシミリ装置からのファクシミリデータを復号化して得られた画像データに基づいて、用紙上に画像形成を行う。用紙は、給紙カセット２１０、装置本体１の側面に設けられた手差トレイ２１１、又は画像形成ユニット２００の下部に設けられた給紙ユニット３００から供給される。用紙カセット３０１，３０２に収容された用紙は、制御装置からの指示に応じて、呼込ローラ３０１ａ，３０２ａにより１枚ずつ供給され、用紙搬送路３０３，２１２を通じて画像形成ユニット２００の画像形成部２００ａに搬送される。
【００２４】
上記のようにして入力された画像データは、ハードディスク装置等の記憶部に送られ、記憶部内の所定の記憶領域に格納される。格納された画像データは、制御装置が指示するタイミングにしたがって順次に読み出され、レーザ書込ユニット２０１に転送される。
【００２５】
レーザ書込ユニット２０１は、画像データに応じてレーザ光を発する半導体レーザ光源、レーザ光を等角速度偏向するポリゴンミラー、等角速度で偏向されたレーザ光が感光体ドラム２０２上を等速度で走査するようにレーザ光を補正するｆ−θレンズなどから構成されている。なお、レーザ書込ユニットの代わりに、ＬＥＤ、ＥＬ素子等の発光素子アレイを用いた固定走査型の光書込ヘッドユニットを用いてもよい。
【００２６】
感光体ドラム２０２の周囲には、感光体ドラム２０２を所定の電位に帯電させる帯電器２０３、感光体ドラム２０２上に形成された静電潜像にトナーを供給して顕像化する現像器２０４、感光体ドラム２０２表面に形成されたトナー像を搬送されてきた用紙上に転写する転写器２０５、トナー像が転写された用紙から電荷を取り除き、感光体ドラム２０２から用紙を引き剥がす除電器２０７、トナー像を転写した後に残留したトナーを回収するクリーニング器が配置されている。
【００２７】
画像が転写された用紙は、定着ユニット２０８に搬送され、定着ユニット２０８により用紙上に画像が定着される。画像が定着された用紙は、排紙ローラ２０９によって排紙ユニット４００へ送られる。
【００２８】
また、画像形成ユニット２００は、画像形成した用紙の裏面に再度画像形成を行わせて両面プリントを実行する。そのため、画像形成した用紙の表裏を反転させて画像形成部１６へ搬送するためのスイッチバック路２２０及び両面ユニット２２１を備えている。スイッチバック路２２０は排紙ローラ２０９の上流側に設けられている。用紙の表裏を反転させる場合には、用紙を排紙ユニット４００側へ送り出すときに、排紙ローラ２０９が用紙の端部を一旦把持し、排紙ローラ２０９が逆転駆動すると、用紙がスイッチバック路２２０に搬送される。そして、用紙は、両面ユニット２２１及び用紙搬送路２１２を経由して画像形成部２００ａに搬送され、用紙の裏面に画像形成が行われる。
【００２９】
なお、スイッチバック路２２０は、用紙の両面に画像形成を行うときだけでなく、画像形成した面を下側にして排出するときにも利用される。
【００３０】
排紙ユニット４００は画像形成ユニット２００の側方に設けられている。排紙ユニット４００は、通常のプリントジョブにより画像形成された用紙を排出するための排紙トレイ４０４と、親展プリントに係るプリントジョブにより画像形成された用紙を排出するための親展トレイ４２１とを備えている。
【００３１】
通常のプリントを指定するプリントジョブの場合、画像形成ユニット２００により画像形成が行われ、排紙ローラ２０９によって送り出された用紙は、用紙搬送路４０１を通じて排紙ユニット４００の排紙ローラ４０３から排紙トレイ４０４上に排出される。
【００３２】
一方、親展プリントを指定するプリントジョブの場合、切替ゲート４０２を切替えることにより、排紙ローラ２０９から送り出された用紙は用紙搬送路４０５に導かれる。用紙は、排紙ローラ４０６により親展トレイ４２１上に排出される。なお、親展トレイ４２１の周囲を囲むように親展ボックス４２０が設置されており、親展トレイ４２１に排出された用紙の画像が、その外側から容易に見えない。また、用紙搬送路４０５の下流側には切替ゲート４１０が設けられ、親展トレイ４２１に排出すべき用紙は一旦スイッチバック路４１１に導かれる。用紙は反転されて、親展トレイ４２１上に排出される。
【００３３】
排紙ユニット４００は、親展トレイ４２１を昇降させる移動部（不図示）を備えている。親展トレイ４２１に用紙が排出された後、親展ボックス４２０に設けられた取出口４２２から用紙が取出されることなく所定時間が経過した場合、移動部は、親展トレイ４２１を下降させ、所定位置に達したときに移動を停止させる。所定位置に達した親展トレイ４２１上の用紙は、呼込ローラ４０８により１枚ずつ装置本体１内に取り込まれ、用紙搬送路４０９を通じて給紙ユニット３００に搬送される。給紙ユニット３００に搬送された用紙は、切替ゲート３０４によりスイッチバック路３０５へ導かれた後、搬送方向を切替えて画像形成ユニット２００へ搬送される。そして、用紙は、画像形成ユニット２００の両面ユニット２２１及び用紙搬送路２１２を通じて画像形成部２００ａへ導かれ、画像形成部１６により、上書き用の画像形成パターンが用紙に上書き形成される。
【００３４】
図２に示すように、装置本体１の上面に、原稿台１０１を覆う原稿カバー１０が開閉自在に設けられる。原稿カバー１０は、装置本体１の上面の後側に設置されたヒンジにより開閉自在に支持される。原稿カバー１０は、後側に向かって開き、原稿台１０１が露出する。ヒンジに、ばね等の弾性部材が組み込まれており、原稿カバー１０が自重により下がることが阻止される。原稿カバー１０は任意の角度で開いた姿勢に保持される。なお、装置本体１の上面には、原稿台１０１よりも前側に操作パネルが配置されている。
【００３５】
原稿カバー１０に、自動原稿送り装置１０２が装着されている。自動原稿送り装置１０２は、複数枚の原稿を載置可能な原稿トレイ１１と、原稿を原稿台１０１に搬送する搬送部１２とを備えている。搬送部１２は、原稿トレイ１１から原稿を１枚ずつ分離して取り込む給紙ローラと、原稿を原稿窓に搬送し、さらに排出する搬送ローラと、これらのローラを駆動するモータ等の駆動部を有している。原稿カバー１０の上面に排紙トレイ１３が形成され、搬送部１２により、原稿トレイ１１から原稿台１０１上を通って搬送されてきた原稿は排紙トレイ１３に排出される。
【００３６】
図３に示すように、原稿トレイ１１には、サイズ毎に原稿を揃えてセットするための原稿ガイド２０が設けられる。前後一対の原稿ガイド２０は、前後方向に移動可能とされ、２つの原稿ガイド２０は互いに連動してスライドする。すなわち、原稿トレイ１１上に配された原稿ガイド２０は、溝２１に嵌め込まれ、前後方向にスライド可能とされる。原稿ガイド２０の下部は原稿トレイ１１を貫通し、この下部にラック２２が一体的に取り付けられる。各原稿ガイド２０のラック２２は、互いに対向して配され、原稿トレイ１１の下面の回転自在に支持されたピニオン２３に噛み合う。ユーザが一方の原稿ガイド２０をスライドさせると、他方の原稿ガイド２０が同時にスライドし、２つの原稿ガイド２０は近接したり、離れたりする。
【００３７】
原稿トレイ１１は、排紙トレイ１３の上方に配置され、搬送部１２は、原稿カバー１０の左右方向の一側、ここでは左側に配される。搬送部１２は、開閉自在な搬送カバーと、前後の側板とによって囲まれる空間に内装される。搬送カバーは、原稿カバー１０に回動自在に支持され、各側板は、原稿カバー１０上に立設される。
【００３８】
本自動原稿送り装置１０２では、原稿トレイ１１が原稿カバー１０に対して移動自在とされる。すなわち、図４に示すように、原稿トレイ１１は、搬送部１２から分離され、原稿カバー１０に開閉自在に設けられる。原稿トレイ１１の前側に支軸３０が設けられ、支軸３０は前側板に回転自在に支持される。これにより、原稿トレイ１１は、原稿カバー１０に回動自在に支持される。原稿トレイ１１は、前側に向かって回動し、原稿カバー１０の開く方向とは異なる方向に移動する。
【００３９】
なお、支軸３０は、原稿カバー１０に設けられた軸受に支持され、支軸３０と軸受との間の摩擦力によって、原稿トレイ１１は、任意の角度で開いた姿勢に保持される。原稿トレイ１１が自重によって下がることを防止できる。また、原稿トレイ１１は、所定の角度までしか開かないように規制される。ストッパにより支軸３０の回動が規制され、原稿トレイ１１は、所定の角度、例えば４５度まで開く。
【００４０】
そして、原稿トレイ１１に、開閉しやすくするために取っ手３１が設けられる。取っ手３１は、原稿トレイ１１の前側に形成される。原稿トレイ１１の前側の一部が切り欠かれており、この切り欠かれた箇所の側面に、取っ手３１が形成される。
【００４１】
ここで、原稿カバー１０が閉じているとき、原稿トレイ１１は、原稿カバー１０上に位置する通常姿勢にある。ユーザ、特に車椅子を使用するユーザが自動原稿送り装置１０２を用いるとき、ユーザは、原稿トレイ１１の取っ手３１を持って、原稿トレイ１１を開く。原稿トレイ１１は、支軸３０周りに回動して、起き上がった姿勢となる。
【００４２】
これにより、原稿トレイ１１は、装置本体１の前方にいるユーザに近づき、ユーザは、原稿トレイ１１を視認できる。そして、ユーザは、斜めになった原稿トレイ１１に複数枚の原稿を載置する。原稿は下側の原稿ガイド２０に支えられ、原稿が落ちることはない。ユーザは、原稿のサイズに合わせて原稿ガイド２０をスライドさせて、原稿をセットし終わると、取っ手３１を押し下げる。原稿トレイ１１は通常姿勢に戻る。ユーザは、操作パネルを操作して、所望する処理に対する入力を行い、スタートボタンを操作する。自動原稿送り装置１０２は動作を開始し、原稿トレイ１１にセットされた原稿を１枚ずつ搬送し、原稿の画像が読み取られる。
【００４３】
他の形態の原稿トレイ１１を図５に示す。原稿トレイ１１は、原稿カバー１０に対してスライド可能に設けられる。原稿カバー１０に、伸縮自在なスライドレール４０が設けられる。スライドレール４０は、複数のレールをスライド自在に組み合わせたものであり、スライドレール４０は、前側に向かって伸びる。
【００４４】
スライドレール４０は、排紙トレイ１３の上方で、原稿トレイ１１の下方に配され、スライドレール４０の前端に、原稿トレイ１１が取り付けられ、スライドレール４０の後端が後側板に固定される。スライドレール４０は、１本でもよいが、２本にすれば、原稿トレイ１１を安定してスライドさせることができる。その他の自動原稿送り装置１０２および原稿カバー１０の構成は、上記と同じである。
【００４５】
ユーザが、取っ手３１を持って前側に引っ張ると、原稿トレイ１１は前側に向かってスライドする。原稿トレイ１１は、通常姿勢からそのまま水平にスライドして、原稿カバー１０よりも前側まで移動する。ユーザの近くに原稿トレイ１１がくるので、ユーザは、原稿を原稿トレイ１１に載置しやすくなる。そして、ユーザが原稿トレイ１１を後側に向かって押すと、原稿トレイ１１は元の位置まで戻る。
【００４６】
以上のように、原稿トレイ１１はユーザに近づく方向に移動するので、従来のようにユーザの手が届かないといったことがなくなり、原稿を容易にセットすることができる。車椅子を使用するユーザが自動原稿送り装置１０２の原稿トレイ１１を利用するとき、ユーザに無理な姿勢を強いることがなく、ユーザの使い勝手が向上する。
【００４７】
なお、本発明は、上記実施形態に限定されるものではなく、本発明の範囲内で上記実施形態に多くの修正および変更を加え得ることは勿論である。原稿カバーが左右の一側に向かって開くように、原稿カバーが装置本体の上面に設けられているとき、原稿トレイは、前側に向かって開くように開閉自在に設けられる、あるいは前側に向かってスライドするように設けられる。すなわち、操作パネルのある側に原稿トレイを移動させるのが、ユーザの操作上、好ましい。
【００４８】
上記実施形態では、原稿トレイは、搬送部と分離して単独で移動するが、原稿トレイと搬送部とを一体的に移動可能としてもよい。原稿トレイと搬送部とを１つのユニットとし、原稿カバーに対して開閉自在あるいはスライド自在に設ける。ユーザがこのユニットを開いたり、あるいはスライドさせることにより、ユニットがユーザに近づくように移動する。原稿トレイに原稿を載置したとき、搬送方向に対して原稿の先端を揃えてセットすることができる。
【００４９】
原稿トレイを自動的に移動させてもよい。すなわち、原稿トレイを回動させるためのモータおよびギアを設ける。あるいは、原稿トレイをスライドさせるモータとラックピニオンを設ける。ユーザが、移動用のボタンを操作すると、原稿トレイが自動的に開閉あるいは往復動する。
【図面の簡単な説明】
【００５０】
【図１】本発明の自動原稿送り装置を搭載した画像処理装置の概略全体構成図
【図２】（ａ）原稿カバーの閉じた画像処理装置の側面図、（ｂ）原稿カバーの開いた画像処理装置の側面図
【図３】（ａ）原稿カバーの平面図、（ｂ）原稿ガイドのスライド機構を示す図
【図４】（ａ）原稿トレイの閉じた原稿カバーの側面図、（ｂ）原稿トレイの開いた原稿カバーの側面図
【図５】（ａ）他の形態の原稿トレイの閉じた原稿カバーの側面図、（ｂ）他の形態の原稿トレイの開いた原稿カバーの側面図
【符号の説明】
【００５１】
１    装置本体
１０    原稿カバー
１１    原稿トレイ
１２    搬送部
２０    原稿ガイド
３０    支軸
３１    取っ手
４０    スライドレール
１０２    自動原稿送り装置
【図１】
2010028336.tif 000003
【図２】
2010028336.tif 000004
【図３】
2010028336.tif 000005
【図４】
2010028336.tif 000006
【図５】
2010028336.tif 000007